【事件の表示】
　特願２００１−２０６８０６「ディスク」拒絶査定不服審判事件〔平成１４年　４月　５日出願公開、特開２００２−１０００５１〕について、次のとおり審決する。
【結　論】
　本件審判の請求は、成り立たない。
【理　由】
１．手続の経緯・本願発明
　本件審判の請求に係る特許出願（以下、「本願」という。）は、平成２年８月２４日に出願した特願平２−２２１３６４号の一部を平成１３年７月６日に新たな特許出願としたものであって、平成１４年１２月１１日付けで拒絶の理由が通知され、これに対し、平成１５年２月１７日付けで意見書及び手続補正書が提出されたものの、同年３月１９日付けで拒絶をすべきものである旨の査定がなされたものである。そして、平成１５年４月２４日付けで特許法第１２１条第１項に基づき審判請求がなされるとともに、同年５月２６日付けで手続補正がなされたものであって、その請求項１から３に係る発明は、平成１５年５月２６日付け手続補正書により補正された明細書及び図面の記載からみて、本願の特許請求の範囲の請求項１から３に記載されたとおりのものと認められるところ、その請求項１に記載された発明（以下、「本願発明」という。）は次のとおりである。
　
「サブコードとメインデータとパリティビットから構成される単一フレームを所定数のフレーム毎にブロック化してデジタルデータが記録されるデイスクであって、
　プログラムが記録可能なデータ領域と、
　上記データ領域に記録された各プログラムの始点及び終点を表わすデータが記録される第１のリードイン領域と、
　上記データ領域と上記第１のリードイン領域に記録を行う際の記録レーザパワーが予め記録されている再生専用な第２のリードイン領域とを備え、
　上記第１のリードイン領域のメインデータには上記データ領域に記録されたプログラムに関連する表示データ及びデイスク全体に関連する表示データがＣＤ−ＲＯＭフォーマットで記録されることを特徴とするデイスク。」
　
２．公知刊行物（引用例）に記載された発明
　これに対して、原査定の拒絶の理由で引用された、本願出願前に頒布された刊行物である実願昭６２−５７３１９号（実開昭６３−１６４８８３号）のマイクロフィルム（以下、「引用例１」という。）、特開平２−９８８７４号公報（以下、「引用例２」という。）、及び特開昭６１−２４３９７４号公報（以下、「引用例３」という。）には、それぞれ、図面と共に次の事項が記載されている。
　
（引用例１）
　引用例１には、次の（１−１）〜（１−５）の事項が記載されている。
　
（１−１）「光記録可能なディスクの演奏情報等の記録領域に記録された複数の曲を選曲キーの操作によって選曲し、プログラム情報としてプログラム記億手段に記憶し、このプログラム情報を上記ディスクの演奏情報等の記録領域に近接して設けられたリードイン領域に記録するようにし、
　再生時に、上記ディスクのリードイン領域に記録されたプログラム情報を上記プログラム記憶手段に転送し、このプログラム情報に従ってプログラム再生を行うようにしたことを特徴とするディスク記録再生装置。」（実用新案登録請求の範囲）
　
（１−２）「Ａ．産業上の利用分野
　本考案は光記録可能なディスクに対して演奏情報等の記録再生を行うディスク記録再生装置に関する。」（明細書第１頁第２０行〜第２頁第３行）
　
（１−３）「Ｄ．考案が解決しようとする問題点
　ところで、コンパクトディスクは再生専用であることから、記録可能でかつコンパクトディスクとの上位互換性を保つようなディスクシステムの開発が望まれている。一例として、光磁気ディスクを用いるシステムが提案されており、このシステムにおけるディスク記録再生装置においても、上述したようなプログラム再生機能を設けることは可能である。しかしながら、記録再生装置内のメモリには限界があり、記憶（ストア）できるプログラムの数にも限りがある。また、他の装置で再生する場合には、プログラム操作を新たにやり直さなければ、同一のプログラム再生を行うことはできない。
　そこで、本考案は、このような問題点に鑑みて提案されたものであり、大容量のメモリを用いなくても、多数のディスクに対してプログラム再生を容易に行うことができるようなディスク記録再生装置を提供することを目的とする。また、本考案は、他の装置で再生する場合でも、プログラム操作を新たにやり直すことなく、同一のプログラム再生を行うことができるようなディスク記録再生装置を提供することを他の目的とする。」（明細書第３頁第１６行〜第４頁第１８行）
　
（１−４）「Ｇ．実施例
　以下、本考案の一実施例について図面を参照しながら詳細に説明する。
　まず、本実施例におけるディスクについて第２図を参照しながら説明する。光記録可能なディスク１は、例えば、磁気光学効果を有する垂直磁化膜を有する直径１２ｃｍの光磁気ディスクである。上記ディスク１には、案内溝となるプリグルーブ２がスパイラル状に形成されており、このプリグルーブ２間のランド部には、円周方向に沿って凹凸パターンから成るエンボス領域３と光磁気記録の行われる信号記録領域４とが交互にそれぞれ等ピッチで設けられている。
　ここで、第３図にコンパクトディスクのフォーマットによって定められた１フレームの構成を示す。１フレームは５８８チャンネルビットから成っており、ＥＦＭ（Ｅｉｇｈｔ　ｔｏ　Ｆｏｕｒｔｅｅｎ　Ｍｏｄｕｌａｔｉｏｎ）変調後のデータによって構成されている。すなわち、１フレームは、２４ビットのフレーム同期信号と、 １４ビット（１シンボル）のサブコードと、１４×３２ビット（３２シンボル）の演奏情報等のデータおよびパリティによって構成されている。但し、各シンボルの結合のために３ビットずつのマージンビットが設けられており、合計５８８ビットとなっている。
　上述した１フレームを構成するデータのうちフレーム同期信号とサブコードは予め上記エンボス領域３に凹凸パターンとして記録されており、演奏情報等のデータおよびパリティを上記信号記録領域４に光磁気記録として記録することができるようになっている。なお、エンボス領域３に予め記録されるサブコードはＱチャンネルのみであり、更に演奏情報等の記録領域５の始端から終端までの絶対的なアドレス情報（絶対時間情報）のみとなっている。
　また、上記ディスク１の演奏情報等の記録領域５に近接して内周側に設けられたリードイン領域６には、記録されている各曲に対応する曲番号とスタートアドレス（開始時刻）とエンドアドレス（終了時刻）の各情報から成るＴＯＣ情報およびプログラム再生のためのプログラム情報が記録される。なお、上記プログラム情報は、例えば上記ＴＯＣ情報に続いて記録される。」（明細書第５頁第１９行〜第８頁第１行）
　
（１−５）「次に、本実施例のディスク記録再生装置について第１図を参照しながら説明する。上記ディスク１はスピンドルモータ１１によって線速度一定（ＣＬＶ）で回転駆動される。磁石１２と光学ヘッド１３は上記ディスク１を挟んで対向するように設けられている。上記磁石１２は磁気光学効果を利用して上記ディスク１に情報を記録あるいは消去するための磁界を与えるものであり、記録時と消去時とで磁極の向きが反転されるようになっている。また、上記光学ヘッド１３は、レーザーダイオード，フォトディテクタ，レンズやビームスプリッタ等の光学部品にて構成され、上記ディスク１に対してレーザー光を照射することにより情報の記録再生を行うものである。
　上記光学ヘッド１３により上記ディスク１から読み出されるＲＦ信号のうち、上記信号記録領域４からの再生信号はＲＦアンプ１４を介して再生信号処理回路１５に供給され、所定の信号処理が行われる。そして、上記ディスク１の演奏情報等の記録領域５から再生される情報は、上記再生信号処理回路１５からＤ／Ａコンバータ（デジタル／アナログ変換器）１６に供給されアナログ化された後、バッファアンプ１７を介して出力端子１８から再生音声信号ＳＯＵＴとして出力されるようになっている。また、上記ディスク１のリードイン領域６から再生されるＴＯＣ情報は、上記再生信号処理回路１５からＴＯＣバッファメモリ１９に供給され、該ＴＯＣバッファメモリ１９に記憶される。更に、上記リードイン領域６から再生されるプログラム情報は、上記再生信号処理回路１５からプログラム記憶手段であるプログラムメモリ２０に供給され、該プログラムメモリ２０に記憶される。このプログラムメモリ２０は上記ＴＯＣバッファメモリ１９の一部となている。
　また、上記ディスク１のエンボス領域３からの再生信号はアドレスアンプ２１を介してアドレスデコーダ２２に供給され、該アドレスデコーダ２２にてデコードされた絶対的なアドレス情報がマイクロコンピュータ２３に供給されるようになっている。
　一方、上記ディスク１に記録する音声信号ＳＩＮは、入力端子２４からバッファアンプ２５を介してＡ／Ｄコンバータ（アナログ／デジタル変換器）２６に供給され、デジタル化される。このＡ ／Ｄコンバータ２６からの出力（演奏情報）は、記録信号処理回路２７にて所定の信号処理が施された後、記録アンプ２８を介して上記光学ヘッド１３に供給され、上記ディスク１の演奏情報等の記録領域５に記録されるようになっている。
　また上記記録信号処理回路２７には上記ＴＯＣバッファメモリ１９およびプログラムメモリ２０が接続されており、必要に応じてＴＯＣ情報あるいはプログラム情報が上記ディスク１のリードイン領域６に記録される。また、上記ＴＯＣバッファメモリ１９およびプログラムメモリ２０はマイクロコンピュータ２３と接続されており、情報のやり取りが行われる。更に、上記マイクロコンピュータ２３には、プログラム・キー２９，テン・キー３０，メモリ・キー３１，プログラム再生・キー３２，ストップ・キー３３等の操作キーが接続されていると共に、曲番号（トラック番号）等の各種表示を行うための表示器３４が接続されている。」（明細書第８頁第２行〜第１１頁第４行）
　
　したがって、これらの記載事項を、図面を参照して整理すると、引用例１には、「１４ビット（１シンボル）のサブコードと、１４×３２ビット（３２シンボル）の演奏情報等のデータおよびパリティによって構成されている１フレームに演奏情報等のデータが記録される光記録可能なディスク１であって、演奏情報等の記録領域５と、記録されている各曲に対応する曲番号とスタートアドレス（開始時刻）とエンドアドレス（終了時刻）の各情報から成るＴＯＣ情報およびプログラム再生のためのプログラム情報が記録されるリードイン領域６とを備えた光記録可能なディスク。」の発明（以下、「引用発明」という。）が記載されている。
　
（引用例２）
　引用例２には、次の（２−１）〜（２−５）の事項が記載されている。
　
（２−１）「（１）主データを記録するメインチャンネルと副データを記録する複数のサブチャンネルが時分割多重された信号が少なくとも記録されており、順にリードイン領域と第１のデータ領域と分離領域と第２のデータ領域とリードアウト領域を備え、前記リードイン領域の１つのサブチャンネルに前記第１のデータ領域と前記分離領域の配置情報を記録し、前記リードイン領域の他の１つ以上のサブチャンネルに少なくとも前記第２のデータ領域の配置情報を含む管理情報を記録することを特徴とする光ディスク。
（２）管理情報内に第１のデータ領域と分離領域の配置情報が含まれることを特徴とする請求の範囲第１項記載の光ディスク。
（３）管理情報内に光ディスクの記録内容に関する内容情報が含まれることを特徴とする請求の範囲第１項記載の光ディスク。」（特許請求の範囲）
　
（２−２）「ＣＤには第４図（ａ）で示すフレームが１秒間に７３５０個の割合でディスクに記録される。１フレームは１バイトのサブチャンネル記憶域４２と３２バイトのメインチャンネル記憶域４３とフレーム同期域４１からなる。標本化周波数４４．１ｋＨｚ、量子化ビット数１６ビットで量子化された２チャンネルのオーディオデータは主データとして２４バイト毎に分割され、８バイトの誤り検出訂正符号と共にメインチャンネル記憶域４３に記録される。サブチャンネル記憶域４２にはサブコードとよばれる副データが１バイト記録される。サブコードの１バイトは各ビットがそれぞれチャンネルに対応しており、これらのチャンネルをＰチャンネル、Ｑチャンネル、．．．、Ｗチャンネルと呼んでいる。すなわちサブチャンネル記憶域４２には８個のサプチャンネルが存在する。
　連続する９８フレーム分のサブチャンネル記憶域４２でサブコードフレームを構成する。サブコードフレームは１秒間に７５個存在する。この様子を第４図（ｂ）に示す。最初の２フレーム分のサブチャンネル記憶域４２でサブコードフレーム同期４４を構成し、残りの９８フレーム分のサブチャンネル記憶域４２でＰチャンネルからＷチャンネルまでのサブチャンネルを記録する。」（第２頁左上欄第６行〜同頁右上欄第９行）
　
（２−３）「第１のデータ領域３の主データと副データは従来のＣＤと同様に記録される。
　分離領域４の主データには従来のＣＤの音声デジタル値として０を示すデータが記録してあり、副データのＱチャンネル、Ｐチャンネルは従来のＣＤのリードアウト領域として記録される。
　第２のデータ領域５は従来のＣＤプレーヤーでは再生されない領域である。従ってこの領域の主データは従来のＣＤとの互換性をとる必要がないので以下に示す種々のフォーマットでデータを記録する事が出来る。
　
１）ＣＤ−ＲＯＭ（コンパクト・ディスク・リード・オンリー・メモリ）の様に音声を記録する代わりに１６ビットデータを一定量毎に区切って構造化を施し静止画やコンピュータデータを記録する。
２）１６ビットデータの上位ビットに圧縮音声を下位ビットに構造化されたデジタルデータを記録して音声と、大量データの同時再生を行う。
３）記録回転数を上げてＦＭ変調された映像信号を記録する。
４）第１のデータ領域３と同様に１６ビットのデジタル音声を記録する。
　
もちろん上述したフォーマットを第２のデータ領域内に混在させることも可能である。」（第５頁右上欄第５行〜同頁左下欄第１１行）
　
（２−４）「次に、第３の実施例として本発明の請求項３記載の光ディスクについて説明する。
　本実施例ではリードイン領域２のＲ〜Ｗチャンネル以外は第１の実施例と同じであるので説明は省略する。Ｒ〜Ｗチャンネルに第２のデータ領域５の配置情報以外に光ディスクの記録内容に関する内容情報を記録する。Ｒ〜Ｗチャンネルのコマンド領域５１は第１の実施例と同じ値を用いる。インストラクション領域５２を２（００００１０）として、第２のデータ領域５の配置情報等と区別する。データ領域５４に内容情報を記録する。ここでいう内容情報とはそのディスクに固有の情報で、音声と同時に出力される必要のないデータを示す。以下に内容情報の例を示す。
　
１）ＣＤのタイトル
２）各トラックに記録された音楽の曲名
３）曲の説明
４）演奏者の紹介
５）ＣＤの再生方法を制御する再生制御プログラム、もしくは再生制御プログラムが記録されている第２のデータ領域のアドレス
　
　これら内容情報はＣＤの再生に先立ってプレーヤーのメモリ内に取り込まれて、外部からの要求もしくは再生制御プログラムによって表示装置に表示されたりする。」（第６頁右下欄第１７行〜第７頁右上欄第３行）
　
（２−５）「以上のように本実施例によれば、メインチャンネルと複数のサブチャンネルが時分割多重された信号を記録する光ディスクに、リードイン領域と第１のデータ領域と分離領域と第２のデータ領域とリードアウト領域を備え、前記リードイン領域の１つのサブチャンネルに前記第１のデータ領域と前記分離領域の配置情報を記録し、前記リードイン領域の他の１つ以上のサブチャンネルに第２のデータ領域の配置情報と光ディスクの記録内容に関する内容情報を記録することにより、例えば曲名を表示させ、プレーヤーの使用者が曲名を参照しながら希望の曲を選んだり、演奏者のプロフィールを読んだりでき光ディスクの利用範囲を大きく広げることが出来る。もちろん第１の実施例で示したようにこれらの光ディスクは従来のプレーヤーで再生しても全く支障がない。
　なお、以上の３つの実施例では光ディスクとしていずれもＣＤを例に説明したが、光ディスクとしてはＣＤには限らず、未使用のサブチャンネルが存在する光ディスクでリードイン領域、データ領域、リードアウト領域が存在する光ディスクであれば容易に上述した機能が実現できる。例えばＣＤと同様のフォーマットで音声の記録が可能なレーザーディスクやＣＤＶ（コンパクト・ディスク・ビデオ）ディスクに応用することも可能である。」（第７頁右上欄第４行〜同頁左下欄第９行）
　
（引用例３）
　引用例３には、次の（３−１）〜（３−４）の事項が記載されている。
　
（３−１）「（１）記録及び若しくは再生の条件に関する情報を一部分に記録してなる情報記録媒体。」（特許請求の範囲）
　
（３−２）「（ハ）発明が解決しようとする問題点
　以上の様に、光磁気記録媒体と光記録媒体とを利用できる情報記録再生装置を使用する場合には、ディスク種類の判別や記録再生における望ましい条件等が自動的に判断されることが望ましい。
（ニ）問題点を解決するための手段
　本発明では、記録媒体の一部分に記録及び若しくは再生の条件に関する情報を記録してある。
（ホ）作用
　情報記録再生装置では、記録媒体の一部分に記録された、記録及び若しくは再生の条件に関する情報を読取り、この情報に応じて記録、再生条件を設定することができる。」（第１頁右下欄第１１行〜第２頁左上欄第３行）
　
（３−３）「第１図において、（１）は光磁気ディスク（情報記録媒体）である。中央部分には透孔（２）が設けられており、この透孔（２）が情報記録再生装置にてクランプされ、ディスク（１）が回転される。（３）は光磁気記録部分であり、その構造は第４図に示す様になっている。すなわち、案内溝（４ａ）（この部分が記録トラックとなる）の形成されたプラスチック基板（ポリカーボネイト、アクリル）（４）にＧｄＴｂＦｅ，ＴｂＦｅＣｏ等の垂直磁化膜（５）（ハッチングで示す）が蒸着又はスパッタリングによって設けられている。そしてこの垂直磁化膜（５）上に誘電体による保護層（６）が形成されている。
　光磁気記録部分（３）の内側には記録、再生の条件に関する情報信号が記録された既記録部分（７）が設けられている。この既記録部分（７）への情報信号の記録方法は、コンパクトディスクプレーヤの如く、プラスチック基板（４）上に凹凸のピット（８）として記録する方法や、あるいは、追記型ディスクの様に、垂直磁化膜（５）を除去することにより記録する方法が考えられる。又、この既記録部分では垂直磁化膜の代りに、アルミニウム反射膜を形成していてもよい。
　以上の記録方法であれば、ディスク（１）からの反射光量の変化により、既に記録された情報信号を読み取ることができる。凹凸のピットの形で記録する方法は、案内溝（４ａ）形成時に、ピットを作成することが可能であり、又、消去されるおそれがないので有利である。尚、レーザ光はプラスチック基板（４）側から矢印Ａの如く照射される。」（第２頁左上欄第１１行〜同頁右上欄第１９行）
　
（３−４）「記録、再生条件に関する情報の記録されるフォーマットとしては、コンパクトディスクも利用でさる装置においては、コンパクトディスクのサブコードＱチャンネルのフォーマットを利用する。サブコードＱチャンネルのフォーマットは第２図に示すものである。このうち、アドレスの４ビットにおいて、（０００１），（００１０），（Ｏ０１１）はコンパクトディスクにとって重要な意味のあるパターンであるが、他のパターンはコンパクトディスクにとっては意味がない。
　そこで．光磁気ディスク（１）の既記録部分（７）には、サブコードＱチャンネルのフォーマットのアドレス部分に例えば（１０００）のパターンを記録しておく。
　そして７２ビットのデータ部分には、光磁気ディスクの記録（消去も含む）、再生の条件に関する情報が記録される。この情報とは、例えば、記録時、消去時、再生時のレーザパワー、線速度、バイアス磁界の強さ及び方向に関するものである。又、特定パターンを記録して光磁気記録部分（３）のはじまり（又は既記録部分（７）の終り）を指示せしめることもできる。つまり、特定パターンを規準位置を示す印にしたり、光磁気記録部分の開始部分までの回転数、時間のデータを記録する。
　記録、再生に関する条件が必要なのは、次の理由による。すなわち、光磁気ディスクの垂直磁化膜の材料としては、前述の様にＧｄＦｅ，ＴｂＦｅ，ＴｂＦｅＣｏなどがあるが、組成が異なれば、レーザパワー、バイアス磁界の条件は当然異なってくるし、ＴｂＦｅＣｏを基本とする材料でもＣｏの割合が増加すればキュリー点が上昇するので記録消去のレーザパワーも大きくする必要があるからである。
　従い、記録、消去、再生時のレーザパワー、記録、消去時のバイアス磁界の強さあるいは必要な線速度を既記録部分（７）に書込んであれば、情報記録再生装置において、記録材料の異なる光磁気ディスクに対応できる。」（第２頁右上欄第２０行〜同頁右下欄第１７行）
　
３．対比
　本願発明と、引用発明とを対比すると、両者は、以下の（１）〜（４）点で一致する。
　
（１）引用発明の「サブコード」、「演奏情報等のデータ」、及び「パリティ」は、それぞれ、本願発明の「サブコード」、「メインデータ」、及び「パリティビット」に相当しており、引用発明の「１フレーム」は、本願発明の「単一フレーム」に相当する。
　
（２）引用発明の「光記録可能なディスク１」は、本願発明の「ディスク」に相当する。
　
（３）引用発明の「演奏情報等の記録領域５」は、本願発明の「プログラムが記録可能なデータ領域」に相当する。
　
（４）引用発明の「記録されている各曲に対応する曲番号とスタートアドレス（開始時刻）とエンドアドレス（終了時刻）の各情報から成るＴＯＣ情報が記録されるリードイン領域６」は、本願発明の「データ領域に記録された各プログラムの始点及び終点を表わすデータが記録される第１のリードイン領域」に相当する。
　
　以上のことから、両発明は、
「サブコードとメインデータとパリティビットから構成される単一フレームにデジタルデータが記録されるデイスクであって、
　プログラムが記録可能なデータ領域と、
　上記データ領域に記録された各プログラムの始点及び終点を表わすデータが記録される第１のリードイン領域とを備えるデイスク。」
である点で一致し、以下の（Ａ）〜（Ｂ）の点で相違する。
　
（Ａ）本願発明が、「データ領域と上記第１のリードイン領域に記録を行う際の記録レーザパワーが予め記録されている再生専用な第２のリードイン領域」を備えているのに対し、引用発明には、この様な領域が示されていない点（以下、「相違点１」という。）。
　
（Ｂ）本願発明では、「第１のリードイン領域のメインデータにはデータ領域に記録されたプログラムに関連する表示データ及びデイスク全体に関連する表示データがＣＤ−ＲＯＭフォーマットで記録」されているのに対し、引用発明には、「リードイン領域」に「プログラム再生のためのプログラム情報」を記録することが記載されているものの、本願請求項１に係る発明の様な「表示データ」を記録することが示されていない点（以下、「相違点２」という。）。
　
４．当審の判断
（Ａ）相違点１について
　引用例３には、「光磁気記録部分（３）」の記録の条件に関する情報として「記録時のレーザパワー」を、「既記録部分（７）」に、消去されるおそれがない凹凸のピットの形で記録することが記載されており、該「既記録部分（７）」が、記録を行う際の記録レーザパワーが予め記録されているという意味で、本願発明の「再生専用な第２のリードイン領域」に相当する。
　また、記録可能な領域に、「記録領域」だけでなく「リードイン領域」も設けようとすることは、当該技術分野における周知技術である。（例えば、本願の出願前に頒布された「林謙二，荒井孝雄，福井幸夫著，『ＣＤ−オーディオからパソコンへ−』，初版，株式会社コロナ社，１９９０年７月２５日」の第１４７頁〜第１５０頁には、「ユーザ記録領域」を「ＵＴＯＣ（Ｕｓｅｒ　ＴＯＣ）」と「データ記録領域」とから成るようにすることが示されており、該「ＵＴＯＣ（Ｕｓｅｒ　ＴＯＣ）」が、本願発明の「第１のリードイン領域」に相当することは明らかである。）
　したがって、引用発明においても、上記周知技術を参酌して、「記録領域５」（本願発明の「データ領域」に相当。）と「リードイン領域６」（本願発明の「第１のリードイン領域」に相当。）に加え、引用例３に記載のもののような、記録可能な領域での記録時のレーザパワーが予め記録されているリードイン領域（本願発明の「第２のリードイン領域」に相当。）をも再生専用な領域として形成することは当業者が容易に相当できたものである。
　
（Ｂ）相違点２について
　引用例２には、「光ディスク」の「リードイン領域」に、「光ディスクの記録内容に関する内容情報」として、「ＣＤのタイトル」、「各トラックに記録された音楽の曲名」、「曲の説明」、「演奏者の紹介」、「ＣＤの再生方法を制御する再生制御プログラム、もしくは再生制御プログラムが記録されている第２のデータ領域のアドレス」などを記録し、記録した「内容情報」を「表示装置」に表示させることが記載されている。このうち、上記「各トラックに記録された音楽の曲名」及び「ＣＤのタイトル」が、それぞれ、本願請求項１に係る発明の「データ領域に記録されたプログラムに関連する表示データ」及び「デイスク全体に関連する表示データ」に相当する。
　同様の技術については、例えば特開昭６３−２６８８９号公報（特に、第２頁左上欄第１６行〜同頁右下欄第３行参照。）や、実願昭６３−１８７０６号（実開平１−１２４９９３号）のマイクロフィルム（特に、明細書第４頁第１３行〜第５頁第１７行参照。）にも記載がある。
　また、引用例２には、「光ディスク」にデータを記録するフォーマットの一つとして「ＣＤ−ＲＯＭ（コンパクト・ディスク・リード・オンリー・メモリ）」の様に「１６ビットデータを一定量毎に区切って構造化を施し静止画やコンピュータデータを記録」することが記載されており、これは、本願請求項１に係る発明の「ＣＤ−ＲＯＭフォーマットで記録」することに相当する。
　そして、「リードイン領域のメインデータ」にデータを記録することは、当該技術分野における周知技術であり、当業者が容易になし得るものである（例えば、本願の出願前に頒布された特開平２−１９３３１６号公報の特許請求の範囲第１項、第２頁左上欄第１４行〜同頁右上欄第１７行、第５頁右上欄第１２行〜同頁左下欄第１４行、及び第６頁右上欄第７行〜同頁右下欄第２行には、「リードイン領域のメインチャンネル」に「処理プログラム」を記録することが示されており、該「リードイン領域のメインチャンネル」が、本願発明の「第１のリードイン領域のメインデータ」に相当する。）。
　以上のことから、引用発明と、引用例２に記載された公知の技術とを組み合わせ、上記相違点２に示した本願発明の構成とすることに、格別の困難性はない。
　
５．むすび
　以上のとおりであって、本願の請求項１に係る発明は、その出願前に頒布された引用例１〜３に記載された発明及び当該技術分野における周知技術に基いて、当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。